(57)【特許請求の範囲】
【請求項１】
上下方向に積層した３段の母線バーに対して相切替えできる電源側のプラグイン端子金具を保持した回転ホルダーの軸部の基端にピニオンを設けて、該ピニオンを端子装置ケース内に上下動自在に組込んだ表示部材に設けたラックに係合させて、相切替時に回動するピニオンに連動させて表示部材の表示部を端子装置ケースの上板部に設けた表示孔に出没させてプラグイン端子金具が接続される母線バーを表示したことを特徴するプラグイン端子装置の接続表示機構。
【発明の詳細な説明】
【技術分野】
【０００１】
本発明は、ネジ式ブレーカの電源側端子をプラグイン端子に変換するアダプタのプラグイン端子装置やプラグイン式ブレーカの電源側のプラグイン端子装置のプラグイン端子金具の相切替を行うものにおいて、プラグイン端子金具が接続される母線バーを表示するためのプラグイン端子装置の接続表示機構に関するものである。
【背景技術】
【０００２】
上下方向に積層した３段の母線バーに接続するプラグイン端子金具の位置を変更して１００Ｖと２００Ｖの電圧を切替るプラグイン端子装置は、上下に２個配置した端子金具のうち上方に配置した端子金具をＮ相、Ｌ１相、Ｌ２相の順に３段に配置した母線バーのうちＮ相とＬ１相とのどちらか一方に切替可能とし、下方に配置した端子金具をＬ２相に固定したものとして、上方に配置した端子金具をＮ相に切替えた場合に１００Ｖの配線、Ｌ１相に切替えた場合に２００Ｖの配線とするものである。
【０００３】
そして、プラグイン端子装置が１００Ｖと２００Ｖのどちらかの配線となっているかは、上方に配置した端子金具がＮ相とＬ１相のどちらかに切替えられているかを確認することにより知ることができるものである。そこで、プラグイン端子装置の表示機構としては、上方に配置した端子金具がＮ相とＬ１相のどちらかへの切替え動作に連動させた表示部材を表示窓孔から視認できるものとしたものがある。例えば、本出願人が先に提案した特開２００４−５５３８０（特許文献１）のように、上方に配置したプラグを取り付けた絶縁性のプラグ固定部材と直接係合して揺動する表示部材をケース上面付近に設けたものがある。
【０００４】
ところが、前記したプラグイン端子装置の表示機構は、表示部材を上方に配置したプラグイン端子を取り付けた絶縁性のプラグイン端子固定部材と直接係合するものであるため、住宅用分電盤のように単相３線の母線バーをＮ相―Ｌ１相―Ｌ２相の順に配置し、上方のプラグイン端子を回転させることにより相切替を行うものには採用できるが、幹線用の分電盤のように単相３線のをＬ１相―Ｎ相―Ｌ２相の順に配置となっているもの又は、Ｒ相―Ｓ相―Ｔ相からなる三相の母線バーであって下方のプラグイン端子を回転させ相切替えする場合があるものにあっては、上方に位置するプラグイン端子固定部材が障害となり前記のような表示機構を採用できない問題がある。
【特許文献１】特開２００４−５５３８０公報
【発明の開示】
【発明が解決しようとする課題】
【０００５】
本発明は前記のような問題点を解決して、ネジ式ブレーカの電源側端子をプラグイン端子に変換するアダプタのプラグイン端子装置やプラグイン式ブレーカの電源側のプラグイン端子装置において、上下方向に３段に積層された母線バーに対して、プラグイン端子を回転させて相切替した場合に、プラグイン端子がどの母線バーに接続されているかを表示することが可能なプラグイン端子の接続位置表示機構を提供することである。
【課題を解決するための手段】
【０００６】
本発明のプラグイン端子装置の接続表示機構は、上下方向に積層した３段の母線バーに対して相切替えできる電源側のプラグイン端子金具を保持した回転ホルダーの軸部の基端にピニオンを設けて、該ピニオンを端子装置ケース内に上下動自在に組込んだ表示部材に設けたラックに係合させて、相切替時に回動するピニオンに連動させて表示部材の表示部を端子装置ケースの上板部に設けた表示孔に出没させてプラグイン端子金具が接続される母線バーを表示したことを特徴するものである。
【発明の効果】
【０００７】
このような本発明は、上下方向に積層した３段の母線バーに対して相切替えできる電源側のプラグイン端子金具を保持している回転ホルダーの軸部の基端にはピニオンが設けてあり、該ピニオンを端子装置ケース内に上下動自在に組込んだ表示部材に設けたラックに係合させているので、プラグイン端子金具を回動して相切替えすれば、この相切替時に回動するピニオンに係合しているラックにより表示部材が上下に連動して表示部を端子装置ケースの上板部に設けた表示孔に出没するものである。従って、上板部近傍に表示部材を設置する必要がなく、端子装置ケースの小型化が可能になるとともに、上方または下方いずれのプラグイン端子を回転させて相切替を行うものであっても、構造上対応することができるものである。
【発明を実施するための最良の形態】
【０００８】
次に、本発明の第１の実施形態を２Ｐ用のネジ式ブレーカをプラグインブレーカに変換するプラグインアダプタに設けたプラグイン端子装置を単相３線の母線バーに接続するものにより説明する。
図１において、１はネジ式ブレーカ２をプラグインブレーカに変換するアダプタである。このアダプタ１は、ネジ式ブレーカ２のネジ端子を分電盤の盤面に対して垂直方向に段積みした母線バー１００に盤面に対して水平方向から接続できるプラグイン端子に変換するプラグイン端子装置３と、ネジ式ブレーカ２を搭載して盤面に添って取り付ける前記母線バー１００に対して進退自在に水平に移動して着脱できるスライド式取付板部４とを一体に形成して設けたものである。
【０００９】
前記プラグイン端子装置３は、端子装置ケース３０の前板部３０ａの左側にＬ１相―Ｎ相―Ｌ２相の順に配置した単相３線の母線バーのうち中段のＮ相の母線バーと下段のＬ２相の母線バーに対して上下方向に１８０度回動させて相切替できる電源側のプラグイン端子金具３１ａを保持した回転ホルダー３２ａに設けた軸部３３ａを軸支している。そして、前板部３０ａの右側に上段のＬ１相の母線バーと下段のＬ２相の母線バーに対して上下方向に１８０度回動させて相切替えできる電源側のプラグイン端子金具３１ｂを保持した回転ホルダー３２ｂの腕部３２ｄに設けた軸部３３ｂを軸支している。また、プラグイン端子金具３１ｂはプラグイン端子金具３１ａの軸部３３ａに対して上方で軸支されている。
【００１０】
これにより、一方のプラグイン端子金具３１ａをＮ相と、他方のプラグイン端子金具３１ｂをＬ１相又はＬ２相のどちらかに相切り替えることにより相バランスのとれた１００Ｖ配線を、一方のプラグイン端子金具３１ａをＬ２相と、他方のプラグイン端子金具３１ｂをＬ１相に相切り替えることにより２００Ｖの配線を行うことができるものである。
【００１１】
そして、前記端子装置ケース３０の前板部３０ａの左側に軸支されている中段のＮ相の母線バーと下段のＬ２相の母線バーに対して上下方向に１８０度回動させて相切替できる一方のプラグイン端子金具３１ａを保持した回転ホルダー３２ａの軸部３３ａの基端にはピニオン５が設けられており、該ピニオン５を端子装置ケース３０内に上下動自在に組込んだ表示部材６に設けたラック６ａに係合させている。そうすると、相切替時にプラグイン端子金具３１ａを保持した回転ホルダー３２ａの軸部３３ａの回動に伴ない回動するピニオン５に連動させて表示部材６の表示部６ｂを端子装置ケース３０の上板部３０ｂに設けた表示孔６１に出没させるので、該プラグイン端子金具３１ａがＮ相に接続する位置にある場合の１００Ｖの表示とＬ２相に接続する位置にある場合の２００Ｖの表示は、表示部６ｂの表示孔６１からの出没状態、例えば１００Ｖの場合には図１に示すように表示部６ｂが表示孔６１内に位置することを、２００Ｖの場合には図３に示すように表示部６ｂが表示孔６１から張出した状態を視認することで確認できるものである。
【００１２】
なお、図示の表示部材６は薄板状の表示本体６０を端子装置ケース３０の中央に上下方向に続くガイド溝７に上下動自在に嵌合して表示本体６０の側面にラック６ａを設けたものとしている。また、端子装置ケース３０は上下に分割できるものとして前板部３０ａの分割端面間に回転ホルダー３２ａ、３２ｂの軸部３３ａ、３３ｂを軸支する軸孔部を形成している。また、後板部３０ｃにネジ式ブレーカの電源側の２個のネジ端子に対応した接続金具１１、１１を挟み込みプラグイン端子金具３１ａ、３１ｂと電線８で電気的に接続されている。また、図９における９は、プラグイン端子金具３１ａ、３１ｂが相切替え位置にある時に閉じることのできるカバーであり、相切替えが不完全な状態で間違って母線バーに装着することを無くするためのものである。
【００１３】
前記実施形態はＬ１相―Ｎ相―Ｌ２相の順に配置した単相３線の母線バーに対応したプラグインアダプタに設けたプラグイン端子装置において説明したが、Ｎ相―Ｌ１相―Ｌ２相の順に配置した単相３線の母線バーに対応したものであってもよく、この場合は、上段のＮ相の母線バーと中段のＬ１相の母線バーに対し上下方向に相切替えできるプラグイン端子金具を保持した回転ホルダーの軸部の基端にピニオンを設けて、該ピニオンを端子装置ケース内に上下動自在に組込んだ表示部材に設けたラックに係合させるものである。また、前記実施形態はプラグイン端子金具を端子装置ケースの前板部の左右に１個づつ配置したものであるが、左右に振り分けず同一直線状に上下に配置し、一方のプラグイン端子金具のみが回動して相切替を行うものとし、その軸部には前記実施形態と同様のピニオンを設け、表示部材本体に設けたラックに係合させることにより、表示部を表示窓に出没させるとともに、他方のプラグイン端子金具は上段または下段の母線バーに対応する位置に固定したものとしても良い。さらに、プラグイン端子装置はプラグインブレーカの電源側端子装置であってもよいことは勿論である。
【００１４】
また、図１０に示す第２の実施形態のプラグイン端子装置にあっては、第１の実施形態と同様に、相切替可能なプラグイン端子金具を設けたものであるが、第１の実施形態との違いは、前板部１３０ａの左側及び右側に軸支したプラグイン端子金具１３１ａ、１３１ｂの回転ホルダー１３２ａ、１３２ｂの軸部のいずれにも、第１の実施形態と同様のピニオンを設け、該ピニオンに係合するラックを備えた表示部材をそれぞれ設け、表示部１６０ａ、１６０ｂが上板部１３０ｂの表示孔１６ａ、１６ｂに出没させたものである。これにより上下方向に三相の母線バーがＲ相−Ｓ相−Ｔ相の順に積層されたものであっても、表示部１６０ａ、１６０ｂの出没の組み合わせにより、プラグイン端子１３１ａ、１３１ｂが母線バーのどの相に接続されているかを表示可能としたものである。例えば、図１０（ａ）はＲ相−Ｓ相に接続されるもので、上板部１３０ｂの表示部１６０ａ、１６０ｂはいずれも表示部より突出していない。図１０（ｂ）はＳ相−Ｔ相に接続されるもので、右側のプラグイン端子１３１ｂに対応した表示部１６０ｂのみが上板部１３０ｂより突出している。図１０（ｃ）はＲ相−Ｔ相に接続されるもので、左側のプラグイン端子１３１ａに対応した表示部１６０ａのみが上板部１３０ｂより突出している。なお、これらの表示部１６０ａ、１６０ｂの出没と、接続される母線バーの相との関係は上板部１３０ｂにラベル等に記載しておくことが望ましい。
【図面の簡単な説明】
【００１５】
【図１】本発明の第１の実施形態をカバーを取り除いて１００Ｖ配線の相切替えで示す斜視図。
【図２】本発明の第１の実施形態を１００Ｖ配線の相切替えで示す一部切欠斜視図。
【図３】本発明の第１の実施形態をカバーを取り除いて２００Ｖ配線の相切替えで示す斜視図。
【図４】本発明の第１の実施形態を２００Ｖ配線の相切替えで示す一部切欠斜視図。
【図５】表示部材と回転ホルダーのピニオンの係合状態を示す斜視図。
【図６】表示部材と回転ホルダーを示す斜視図。
【図７】本発明の要部を分解して示す斜視図。
【図８】本発明の要部を分解して示す斜視図。
【図９】本発明の第１の実施形態をカバー閉じて１００Ｖ配線の相切替えで示す斜視図。
【図１０】本発明の第２の実施形態を示す斜視図。
【符号の説明】
【００１６】
30  端子装置ケース
31a  プラグイン端子金具
32a  回転ホルダー
33a  軸部
５  ピニオン
６  表示部材
6a  表示部
6b  ラック
【図１】
0004683552.tif 000002
【図２】
0004683552.tif 000003
【図３】
0004683552.tif 000004
【図４】
0004683552.tif 000005
【図５】
0004683552.tif 000006
【図６】
0004683552.tif 000007
【図７】
0004683552.tif 000008
【図８】
0004683552.tif 000009
【図９】
0004683552.tif 000010
【図１０】
0004683552.tif 000011